(57)【要約】【課題】可撓性ホースの端末部をホースニップルに被嵌してその外周をホースバンドで締め付けて接続固定する可撓性ホースの接続固定構造において、可撓性ホースの端末部がホースニップルから不用意に抜け外れるおそれをなくして接続構造としての信頼性を向上させる。【解決手段】ホースニップルにおけるフランジ部に接合するワッシャ部と該ワッシャ部の外周縁任意位置に延設一体化した複数の脚部と該脚部の先端に有する鉤部とを設けてなる拘束器具を用い、該拘束器具のワッシャ部をホースニップルにおけるフランジ部に接合装着した上で、脚部先端の鉤部を該ホースニップルに被嵌してなる可撓性ホースの端末部の外周に装着するホースバンドに係合させて、該ホースバンドを締め付け固定する。【選択図】図３
2005155805.tif 000002
【特許請求の範囲】
【請求項１】
ホースニップルにおけるフランジ部に接合するワッシャ部と該ワッシャ部の外周縁任意位置に延設一体化した複数の脚部と該脚部の先端に有する鉤部とを設けてなる拘束器具を用い、該拘束器具のワッシャ部をホースニップルにおけるフランジ部に接合装着した上で、脚部先端の鉤部を該ホースニップルに被嵌してなる可撓性ホースの端末部の外周に装着するホースバンドに係合させて、該ホースバンドを締め付け固定することを特徴とする可撓性ホースのホースニップルへの接続固定構造。
【発明の詳細な説明】
【技術分野】
【０００１】
本発明は、ゴム製ホース、ビニール製ホース等の可撓性ホースの端末部をホースニップルに被嵌してその外周を樹脂製、金属製等のホースバンドで締め付けて接続固定する可撓性ホースのホースニップルへの接続固定構造の改良に関するものである。
【背景技術】
【０００２】
従来のこの種の可撓性ホースのホースニップルへの接続固定は、可撓性ホースの端末部をホースニップルに被嵌してその外周にホースバンドを締結部材として装着して行っている。しかしながら、このような可撓性ホースの接続固定構造にあっては、ホースバンドの締め付け不足や締め付け位置の不良等から弛緩が発生して、可撓性ホースの端末部がホースニップルから不用意に抜け外れるおそれがあり、接続構造としての信頼性に欠ける点があった。
【０００３】
【特許文献１】実用新案登録第３，０３６，５３０号公報
【発明の開示】
【発明が解決しようとする課題】
【０００４】
本発明が解決しようとする課題は、可撓性ホースの端末部をホースニップルに被嵌してその外周をホースバンドで締め付けて接続固定する可撓性ホースの接続固定構造において、可撓性ホースの端末部がホースニップルから不用意に抜け外れるおそれをなくして接続構造としての信頼性を向上させるように改良した可撓性ホースのホースニップルへの接続固定構造を提供することにある。
【課題を解決するための手段】
【０００５】
本発明の可撓性ホースのホースニップルへの接続固定構造は、ホースニップルにおけるフランジ部に接合するワッシャ部と該ワッシャ部の外周縁任意位置に延設一体化した複数の脚部と該脚部の先端に有する鉤部とを設けてなる拘束器具を用い、該拘束器具のワッシャ部をホースニップルにおけるフランジ部に接合装着した上で、脚部先端の鉤部を該ホースニップルに被嵌してなる可撓性ホースの端末部の外周に装着するホースバンドに係合させて、該ホースバンドを締め付け固定することを最も主要な特徴とするものである。
【発明の効果】
【０００６】
本発明の可撓性ホースのホースニップルへの接続固定構造は、脚部先端の鉤部がホースバンドに係合した状態で可撓性ホースに食い込み、当該締め付け位置においてホースバンドをロック状態に拘束するので、ホースバンドの締め付け不足や締め付け位置の不良等から、ホースバンドに弛緩が発生しても、可撓性ホースがホースニップルから抜け外れるおそれをなくし、接続構造としての信頼性を向上させることができるという利点がある。
【発明を実施するための最良の形態】
【０００７】
本発明は、可撓性ホースのホースニップルへの接続固定構造において、可撓性ホースの端末部がホースニップルから不用意に抜け外れるおそれをなくして接続構造としての信頼性に向上させるように改良した可撓性ホースの接続固定構造を提供するという目的を、ホースニップルにおけるフランジ部に接合する拘束器具におけるワッシャ部と該ワッシャ部の外周縁任意位置に延設一体化した複数の脚部と該脚部の先端に有する鉤部とを設けてなる簡便な拘束器具を用いることで実現した。
【実施例１】
【０００８】
図１は、本発明に使用する拘束器具の実施例を示す斜視図、図２は、拘束器具の平面図、図３は、本発明の可撓性ホースのホースニップルへの接続固定構造の実施例を説明する斜視図であって、１は本発明の特徴部分である拘束器具、２はホースニップル、３はホースニップル２におけるフランジ部、４は拘束器具１におけるワッシャー部、５は拘束器具１における脚部、６は拘束器具１における脚部５先端部の鉤部、７は可撓性ホース、８はホースバンドである。
【０００９】
拘束器具１は、ホースニップル２の中央部にナット状に周設されているフランジ部３の螺子側に接合するワッシャ部４と該ワッシャ部４の外周縁任意位置に延設一体化した複数の脚部５、５と該脚部５、５の先端に有する鉤部６、６とを設けており、その素材を限定するものではないが、０．３〜０．５ｍｍ厚の弾発性あるスプリング・ステンレス板をもって成形するのが好適である。
【００１０】
拘束器具１におけるワッシャ部４は、ホースニップル２中央部の長手方向を横切る方向に設けられているボルト頭状のフランジ部３の螺子側に接合装着し得るリング状を呈するものであり、脚部５、５はホースニップル２に被嵌した可撓性ホース７の端縁部長手方向外周に沿うよう構成されるものである。該脚部５、５は、あらかじめワッシャー部４に対し所望角度で成形しても良く、或いは、ワッシャー部４と同一面状に成形し、事後に折り曲げて所望形状に塑性変形させて形成しても良く、又、溶接して形成してもよい。
【００１１】
又、鉤部６、６は、脚部５、５の先端縁を内側に鉤状に折り返して形成したものであっても足り、又その折り返し相互の内面には凹凸粗面等の滑り止めを設けることが好ましい。
【００１２】
上記の構成になる拘束器具１を用い、該拘束器具１のワッシャ部４をホースニップル２におけるフランジ部３に接合装着した上で、脚部５、５先端の鉤部６、６を該ホースニップル２に被嵌してなる可撓性ホース７の端末部の外周に装着する任意のホースバンド８に係合させた状態下で該ホースバンド８を締め付けて固定する。
【００１３】
以上の構成によって、拘束器具１の脚部５、５先端の鉤部６、６がホースバンド８に係合した状態で可撓性ホース７に食い込み、当該締め付け位置においてホースバンド８をロック状態に拘束するので、ホースバンド８の締め付け不足や締め付け位置の不良等から、ホースバンド８に弛緩が発生しても、可撓性ホース７がホースニップル２から抜け外れるおそれをなくする効果がある。
【産業上の利用可能性】
【００１４】
ホースニップル２におけるフランジ部３に接合するワッシャ部４と該ワッシャ部４の外周縁任意位置に延設一体化した複数の脚部５、５と該脚部５、５の先端に有する鉤部６、６とを設けてなる簡便な拘束器具１を用いることによって、ホースバンド８の締め付け不足や締め付け位置の不良等から、ホースバンド８に弛緩が発生しても、可撓性ホース７がホースニップル２から抜け外れるおそれをなくし、接続構造としての信頼性を向上させることができる。
【図面の簡単な説明】
【００１５】
【図１】本発明に使用する拘束器具の実施例を示す斜視図である。
【図２】拘束器具の平面図である。
【図３】本発明の可撓性ホースのホースニップルへの接続固定構造の実施例を説明する斜視図である。
【符号の説明】
【００１６】
１    拘束器具
２    ホースニップル
３    フランジ部
４    ワッシャー部
５    脚部
６    鉤部
７    可撓性ホース
８    ホースバンド
【図１】
2005155805.tif 000003
【図２】
2005155805.tif 000004
【図３】
2005155805.tif 000005